(57)【特許請求の範囲】
【請求項１】
信号線および複数本の給電線を含む複数本の電線が収容されたケーブルと、当該ケーブルの両端にそれぞれ接続されたコネクタと、を備えたコネクタ付きケーブルであって、
前記コネクタは、それぞれ、その内部に収容された基板と、前記基板と接続されるコネクタプラグとを備え、
前記基板は、前記信号線および前記複数本の給電線がそれぞれ接続される複数の第一の接点と、前記コネクタプラグと接続される複数の第二の接点と、前記複数の第一の接点と前記複数の第二の接点との間を連結する電気回路とを備え、
前記複数本の給電線のそれぞれは、前記複数の第一の接点のうちの一つと接続され、
各給電線が接続された各第一の接点から延びる前記電気回路は、前記基板に形成された導体からなり、前記導体は前記基板上において一つに統合されてから再び分岐されて前記複数の第二の接点のそれぞれに連結され、
前記コネクタプラグ内に収容されレセプタクルと接続可能な複数のピンが各前記第二の接点から延びており、
前記信号線は、一対で高速差動信号を伝送する複数本の高速差動信号線を含み、
前記複数の第一の接点は、前記基板の両面に形成され、
前記基板の一面に配置された前記複数の第一の接点に前記複数本の給電線が接続されるとともに、前記基板の他面に配置された前記複数の第一の接点に前記複数本の高速差動信号線が接続されている、コネクタ付きケーブル。
【請求項２】
前記複数の第二の接点は、前記基板の前記両面に形成され、
前記電気回路は、ビアホールを介して前記基板の前記一面から前記他面に延びる導体を含む、請求項１に記載にコネクタ付きケーブル。
【請求項３】
前記複数本の給電線のそれぞれの導体断面積は、前記信号線の導体断面積よりも大きい、請求項１または請求項２に記載のコネクタ付きケーブル。
【請求項４】
前記複数本の給電線は、前記一面側の前記複数の第一の接点に接続される前記複数本の電線のうち前記信号線を間に挟んで両端に配置されている、請求項１から請求項３のいずれか一項に記載のコネクタ付きケーブル。
【発明の詳細な説明】
【技術分野】
【０００１】
本発明は、複数本の電線および当該複数本の電線の両端に取り付けられる一対のコネクタを備えたコネクタ付きケーブルに関する。
【背景技術】
【０００２】
特許文献１には、ケーブル部と、当該ケーブル部の一端に設けられたコネクタ部とを備えた通信ケーブルが開示されている。ケーブル部は、信号線や接地線とともに単線の電源線を備えている。
【先行技術文献】
【特許文献】
【０００３】
【特許文献１】特開２０１４−４５０１６号公報
【発明の概要】
【発明が解決しようとする課題】
【０００４】
特許文献１に記載のような通信ケーブルを介して電子機器の給電が可能となっており、通信ケーブルの給電容量の増加が求められている。また、従来、通信ケーブルの両端に設けられたコネクタ部は、接続先である電子機器のレセプタクルに対してコネクタ部の上下（天地）の向きが適切でないと挿入できないという問題があった。
【０００５】
本発明は、給電容量の増加に対応できるとともに電子機器のレセプタクルに対してコネクタを上下の向きの区別なく挿入可能なコネクタ付きケーブルの提供を目的とする。
【課題を解決するための手段】
【０００６】
本発明によるコネクタ付きケーブルは、
信号線および複数本の給電線を含む複数本の電線が収容されたケーブルと、当該ケーブルの両端にそれぞれ接続されたコネクタと、を備えたコネクタ付きケーブルであって、
前記コネクタは、それぞれ、その内部に収容された基板と、前記基板と接続されるコネクタプラグとを備え、
前記基板は、前記信号線および前記複数本の給電線がそれぞれ接続される複数の第一の接点と、前記コネクタプラグと接続される複数の第二の接点と、前記複数の第一の接点と前記複数の第二の接点との間を連結する電気回路とを備え、
前記複数本の給電線のそれぞれは、前記複数の第一の接点のうちの一つと接続され、
各給電線が接続された各第一の接点から延びる前記電気回路は前記基板上において一つに統合されてから再び分岐されて前記複数の第二の接点のそれぞれに連結され、
前記コネクタプラグ内に収容されレセプタクルと接続可能な複数のピンが各前記第二の接点から延びている。
【発明の効果】
【０００７】
本発明によれば、給電容量の増加に対応できるとともに電子機器のレセプタクルに対してコネクタを上下（天地）の向きの区別なく挿入可能なコネクタ付きケーブルを提供することができる。
【図面の簡単な説明】
【０００８】
【図１】本発明によるコネクタ付きケーブルの一例を示す斜視図である。
【図２】（ａ）は図１に示すコネクタ付きケーブルのＩＩ−ＩＩ線断面図であり、（ｂ）は（ａ）に示される同軸電線の拡大断面図である。
【図３】図１に示すコネクタ付きケーブルのＩＩＩ−ＩＩＩ線断面図である。
【図４】ケーブル内の電線と、電線に接続されるコネクタ内の基板と、基板に接続されるピンの一例を示す概略平面図である。
【図５】電線とコネクタ基板との接続構成の一例を示す概略断面図である。
【図６】図１に示すコネクタプラグの（ＶＩ−ＶＩ線断面）斜視図である。
【図７】コネクタプラグの先端部を示す正面図である。
【発明を実施するための形態】
【０００９】
〈本発明の実施形態の概要〉
最初に本発明の実施形態の概要を説明する。
本発明にかかるケーブルの一実施形態は、
（１）信号線および複数本の給電線を含む複数本の電線が収容されたケーブルと、当該ケーブルの両端にそれぞれ接続されたコネクタと、を備えたコネクタ付きケーブルであって、
前記コネクタは、それぞれ、その内部に収容された基板と、前記基板と接続されるコネクタプラグとを備え、
前記基板は、前記信号線および前記複数本の給電線がそれぞれ接続される複数の第一の接点と、前記コネクタプラグと接続される複数の第二の接点と、前記複数の第一の接点と前記複数の第二の接点との間を連結する電気回路とを備え、
前記複数本の給電線のそれぞれは、前記複数の第一の接点のうちの一つと接続され、
各給電線が接続された各第一の接点から延びる前記電気回路は前記基板上において一つに統合されてから再び分岐されて前記複数の第二の接点のそれぞれに連結され、
前記コネクタプラグ内に収容されレセプタクルと接続可能な複数のピンが各前記第二の接点から延びている。
この構成によれば、複数本の給電線により電源供給を行うため給電容量の増加に対応することができる。また、複数本の給電線から供給される電流を電気回路により一旦合流させてからコネクタプラグ内の複数のピンへ送給する構成となっているため、複数のピンの配置構成の自由度が向上する。そのため、複数のピンを電子機器のレセプタクルに対してコネクタを上下（天地）の向きの区別なく挿入可能な配置構成とすることができる。
【００１０】
（２）前記信号線は、一対で高速差動信号を伝送する複数本の高速差動信号線を含み、
前記複数の第一の接点は、前記基板の両面に形成され、
前記基板の一面に配置された前記複数の第一の接点に前記複数本の給電線が接続されるとともに、前記基板の他面に配置された前記複数の第一の接点に前記複数本の高速差動信号線が接続されていることが好ましい。
この構成によれば、複数本の電線を基板に設けられた複数の第一の接点へそれぞれ接続する際の配線作業が容易となり、製造効率を向上させることができる。
【００１１】
（３）前記複数の第二の接点は、前記基板の前記両面に形成され、
前記電気回路は、ビアホールを介して前記基板の前記一面から前記他面に延びる導体を含むことが好ましい。
この構成によれば、給電線が接続される基板の一面側の第一の接点と基板の他面側の第二の接点とを容易に連結させることができる。また、図７の向きでコネクタを見たときに基板の上下両面に給電線または信号線を振り分けて接続することができる。
【００１２】
（４）前記複数本の給電線の導体断面積は、前記信号線の導体断面積よりも大きいことが好ましい。
給電線として導体断面積の大きい電線を用いることで、抵抗や発熱量を抑え給電容量を大きくすることができ好適である。
【００１３】
（５）前記複数本の給電線は、前記基板の前記一面側に接続される前記複数本の電線のうち前記信号線を間に挟んで両端に配置されていることが好ましい。
この構成によれば、給電線から出るノイズが、信号線を伝わる信号に影響しにくい。
【００１４】
〈本発明の実施形態の詳細〉
以下、本発明に係るコネクタ付きケーブルの実施形態の例を、図面を参照して説明する。
図１は、コネクタ付きケーブル１０の一例を示す斜視図である。図１に示すように、本実施形態に係るコネクタ付きケーブル１０は、例えば、電子機器（図示省略）同士を接続するのに用いることができ、ケーブル１１の両端にコネクタ２０としてそれぞれ第一コネクタ２１および第二コネクタ２２が接続されている。第一コネクタ２１は、ケーブル１１の一端側の端部（図１において左端）に取り付けられており、第二コネクタ２２は、ケーブル１１の他端側の端部（図１において右端）に取り付けられている。
なお、図１の上側を第一コネクタ２１および第二コネクタ２２の上面とし、反対側を下面とする。
【００１５】
第一コネクタ２１は、その内部に平板状の基板２３を有している。また、第二コネクタ２２は、その内部に平板状の基板２３を有している。第一コネクタ２１の基板２３と第二コネクタ２２の基板２３とは、同一の構成を備えてもよく、または異なる構成を備えてもよい。以下の説明では第一コネクタ２１の基板２３を代表して説明する。
【００１６】
第一コネクタ２１の一端側にはコネクタプラグ２４が配置されている。また、第二コネクタ２２の他端側にもコネクタプラグ２４が配置されている。各コネクタプラグ２４の筐体として、それぞれ、略長円筒状の金属シェル２４Ａが設けられている。本実施形態における第一コネクタ２１のコネクタプラグ２４と第二コネクタ２２のコネクタプラグ２４とは同一の構成を備えているため、以下の説明では第一コネクタ２１のコネクタプラグ２４を代表して説明する。
【００１７】
図２（ａ）は、図１に示されるケーブル１１のＩＩ−ＩＩ線断面図であり、図２（ｂ）は、同軸電線１５の断面図である。
図２（ａ）に示されるように、ケーブル１１としては、例えば、中心に配置された複数本の絶縁電線５０と、その周囲に配置された複数本の同軸電線１５と、紙やポリエステルからなる押さえ巻１４と、錫メッキ軟銅線の編組からなるシールド（編組）１３と、ポリ塩化ビニルからなるシース１２とからなるものを採用できる。
【００１８】
本実施形態においては、絶縁電線５０として、電力供給を行う複数本（例えば２本）の給電線５１と、複数本（例えば６本）の信号線５５（例えば、シングルエンド信号線）がケーブル１１の中央に配置されている。６本の信号線５５のうち、１本は通信制御（ＣＣ（Ｃｏｍｍｕｎｉｃａｔｉｏｎ  Ｃｏｎｔｒｏｌ））信号伝送用の信号線であり、２本は一対の低速データ信号（Ｄ＋／Ｄ−）伝送用の信号線（シングルエンド信号線ではない）であり、１本は予備用（ＲＦＵ（Ｒｅｖｉｓｅｄ  ｆｏｒ  Ｆｕｔｕｒｅ  Ｕｓｅ））の信号線であり、２本は接地用のグランド信号線である。
【００１９】
各給電線５１は、中心導体５２と、中心導体５２を覆う外被５３とを有している。各信号線５５は、中心導体５６と、中心導体５６を覆う外被５７とを有している。図２（ａ）に示されるように、電力供給を行う給電線５１の中心導体５２は、信号線５５の中心導体５６よりもその導体断面積が大きくなるように構成されている。給電線５１として導体断面積の大きい電線を用いることで、抵抗や発熱量を抑え給電容量を大きくすることができ好適である。
【００２０】
本実施形態において、同軸電線１５は、一対で高速差動信号を送受信する高速差動信号線である。一対の同軸電線１５は対撚線であっても、撚線でなくてもよい。一対の同軸電線１５から構成される同軸電線対として、本例においては例えば四対の同軸電線対１５Ａ，１５Ｂ，１５Ｃ，１５Ｄがケーブル１１内に収容されている。図２（ｂ）に示されるように、各同軸電線１５は、中心導体１６と、中心導体１６を覆う絶縁体１７と、絶縁体１７の外側に配置された外部導体１８と、外部導体１８を覆う外被１９とを有している。
【００２１】
図３は、図１に示される第一コネクタのＩＩＩ−ＩＩＩ線断面図である。また、図４は、ケーブル１１内の複数本の電線と、電線に接続される第一コネクタ内の基板と、基板に接続されるピンの一例を示す概略平面図である。また、図５は、電線と基板との接続構成の一例を示す概略断面図である。
図３および図４に示されるように、第一コネクタ２１の内部に収容されている基板２３の上面２３Ａには、ケーブル１１と接続される側の端縁に沿って複数の上面側接続端子３０Ａ（第一の接点の一例）が並列配置されている。また、基板２３の上面２３Ａにおいて、ケーブル１１と接続される側と反対側の端縁に沿って複数の上面側接続端子６０Ａ（第二の接点の一例）が並列配置されている。同様に、基板２３の下面２３Ｂには、ケーブル１１と接続される側の端縁に沿って複数の下面側接続端子３０Ｂが並列配置されている。また、基板２３の下面２３Ｂにおいて、ケーブル１１と接続される側と反対側の端縁に沿って複数の下面側接続端子６０Ｂ（第二の接点の一例）が並列配置されている。なお、下面側接続端子３０Ｂ，６０Ｂの配置構成は上面側接続端子３０Ａ，６０Ａと略同一であるため図示は省略する。
【００２２】
図３および図５に示されるように、ケーブル１１の端部においてシース１２等が除去されて同軸電線１５および絶縁電線５０（給電線５１および信号線５５）が露出されている。給電線５１および信号線５５の端部においては中心導体５２，５６がそれぞれ露出されており、当該中心導体５２，５６は基板２３の上面２３Ａ側に配置されている上面側接続端子３０Ａに例えば半田付けにより接続されている。また、同軸電線１５の端部においては中心導体１６が露出されており、当該中心導体１６は基板２３の下面２３Ｂ側に配置されている下面側接続端子３０Ｂに例えば半田付けにより接続されている。このように、基板２３の上面２３Ａ側の接続端子３０Ａに絶縁電線５０が接続されるとともに、基板２３の下面２３Ｂ側の接続端子３０Ｂに同軸電線１５が接続される構成とすることで、同種の電線が基板の同側に集められるため配線作業が容易となり、製造効率を向上させることができる。
【００２３】
中心導体５２，５６が基板２３の上面側接続端子３０Ａに接続された状態の絶縁電線５０は、第一樹脂層２６によりモールドされている。同様に、中心導体１６が基板２３の下面側接続端子３０Ｂに接続された状態の同軸電線１５も、第一樹脂層２６により樹脂封止されている。そして、絶縁電線５０および同軸電線１５が基板２３に接続された状態で、基板２３の上面２３Ａおよび下面２３Ｂと絶縁電線５０および同軸電線１５の周囲とが第二樹脂層２７により樹脂封止されている。
【００２４】
第二樹脂層２７により樹脂封止された基板２３の一端側には金属シェル２４Ａが配置されている。金属シェル２４Ａの内部にはピン保持部２５Ａ（図７参照）が設けられている。ピン保持部２５Ａの一端側と反対側の端部は、第二樹脂層２７から露出した基板２３と接触している。ピン保持部２５Ａは、その上面側に並列配置された複数のコンタクトピン７０Ａ（ピンの一例）を備えるとともに、その下面側に並列配置された複数のコンタクトピン７０Ｂ（ピンの一例）を備えている。これらの複数のコンタクトピン７０Ａ，７０Ｂは、基板２３の上面側接続端子６０Ａおよび下面側接続端子６０Ｂのそれぞれからピン保持部２５Ａ上に延びている。
【００２５】
さらに、金属シェル２４Ａの他端側の一部、基板２３およびケーブル１１のシース１２先端部にかけて第三樹脂層２８により第一コネクタ２１全体が樹脂封止されている。金属シェル２４Ａの一端側は第三樹脂層２８から露出されて、コネクタプラグ２４の筐体として機能する。第三樹脂層２８の他端側においては、ケーブル１１への応力を低減するための樹脂製のストレインリリーフ２９がシース１２の周囲を覆っている。
【００２６】
図４に示されるように、基板２３の上面２３Ａにおいてケーブル１１と接続される側に配置された複数の上面側接続端子３０Ａのうち、両端の接続端子３０Ａ１には、それぞれ、給電線５１から露出された中心導体５２が半田付けにより接続されている。また、両端の接続端子３０Ａ１の間に挟まれた複数の接続端子３０Ａ２には、信号線５５から露出された中心導体５６が半田付けにより接続されている。このように、給電線５１が同軸電線５０の配列方向から見て端（例えば、両端）に寄せられる構成とすることが、給電線５１から出るノイズが信号線５５を伝わる信号に影響しにくい点で好ましい。
【００２７】
そして、各給電線５１の中心導体５２が接続された各上面側接続端子３０Ａ１，３０Ａ１とコネクタプラグ２４側の複数の接続端子６０Ａ，６０Ｂとの間は電気回路（導体）６５により連結されている。各上面側接続端子３０Ａ１，３０Ａ１から延びる電気回路６５は基板２３上の領域６５Ａにおいて一つに統合されてから再び分岐される。分岐された電気回路６５は、複数の上面側接続端子６０Ａのうち両端に配置された接続端子６０Ａ１にそれぞれ連結されている。これらの両端に配置された接続端子６０Ａ１をＶＢＵＳ端子と呼ぶ。なお、図示は省略するが、両端のＶＢＵＳ端子６０Ａ１の間に挟まれた複数の接続端子６０Ａ２には、信号線５５が接続される接続端子３０Ａ２や同軸電線１５が接続される下面側接続端子３０Ｂから延びる電気回路がそれぞれ接続される。
【００２８】
基板２３の下面２３Ｂ側においても、上面２３Ａと同様にコネクタプラグ２４側に配置された複数の下面側接続端子６０Ｂのうち両端にＶＢＵＳ端子６０Ｂ１が配置されている。図５に示されるように、基板２３は、その上面２３Ａから下面２３Ｂに貫通するビアホール８０を備えている。給電線５１の中心導体５２が接続される上面側接続端子３０Ａ１から延びる電気回路６５は、ビアホール８０を介して基板２３の上面２３Ａから下面２３Ｂに延びる導体６５Ｂを含んでいる。そして、導体６５Ｂは基板２３の下面２３Ｂ側のＶＢＵＳ端子６０Ｂ１と連結されている。これにより、給電線５１が接続される上面側接続端子３０Ａ１と下面側ＶＢＵＳ端子６０Ｂ１とを容易に連結させることができる。
【００２９】
このように本実施形態においては、電気回路６５は、ケーブル１１側の複数の上面側接続端子３０Ａ１から延びて領域６５Ａで統合されてから再び分岐してコネクタプラグ２４側の複数の上面側ＶＢＵＳ端子６０Ａ１および複数の下面側ＶＢＵＳ端子６０Ｂ１のそれぞれまで延びている。電気回路６５をこのような配線構成とすることで、複数本の給電線５１から供給される電流を電気回路６５の領域６５Ａにおいて一旦合流させてからコネクタプラグ２４側のＶＢＵＳ端子６０Ａ１，６０Ｂ１へ送給することができる。
なお、基板２３の下面２３Ｂ側においては各同軸電線１５の中心導体１６が複数の下面側接続端子３０Ｂにそれぞれ接続されている。図示は省略するが、これらの下面側接続端子３０Ｂとコネクタプラグ２４側の接続端子６０Ａ，６０Ｂとの間も電気回路（導体）により連結されている。
【００３０】
図６は、図１に示すコネクタプラグの斜視図である。
図６に示されるように、コネクタプラグ２４はその筐体として金属シェル２４Ａを備えている。金属シェル２４Ａの内面側には樹脂層からなる内縁部２５が設けられている。内縁部２５の上面側および下面側には２つの隙間Ｓが形成されている。隙間Ｓ同士の形状は同一である。２つの隙間Ｓの間には内縁部２５と同様に樹脂層からなるピン保持部２５Ａが設けられている。ピン保持部２５Ａの上面および下面には基板２３の上面側接続端子６０Ａおよび下面側接続端子６０Ｂのそれぞれから延びる複数のコンタクトピン７０Ａ，７０Ｂが設けられている。
【００３１】
図７は、コネクタプラグ２４の先端部を示す正面図である。
図７に示されるように、コネクタプラグ２４をケーブル１１とは反対側から見ると、ピン保持部２５Ａの上面２５Ａ１側には、右から左に向かって順に、第１コンタクトピンＡ１，第２コンタクトピンＡ２，第３コンタクトピンＡ３，第４コンタクトピンＡ４，第５コンタクトピンＡ５，第６コンタクトピンＡ６，第７コンタクトピンＡ７，第８コンタクトピンＡ８，第９コンタクトピンＡ９，第１０コンタクトピンＡ１０，第１１コンタクトピンＡ１１，第１２コンタクトピンＡ１２が配置されている。これらのコンタクトピンのうち、両端の第１コンタクトピンＡ１と第１２コンタクトピンＡ１２は給電用のピン（ＶＢＵＳピン）である。
【００３２】
また、ピン保持部２５Ａの下面２５Ａ２側には、上面２５Ａ１側のコンタクトピン７０Ａの並列順とは逆に左から右に向かって順に、第１コンタクトピンＢ１，第２コンタクトピンＢ２，第３コンタクトピンＢ３，第４コンタクトピンＢ４，第５コンタクトピンＢ５，第６コンタクトピンＢ６，第７コンタクトピンＢ７，第８コンタクトピンＢ８，第９コンタクトピンＢ９，第１０コンタクトピンＢ１０，第１１コンタクトピンＢ１１，第１２コンタクトピンＢ１２が配置されている。これらのコンタクトピンのうち、両端の第１コンタクトピンＢ１と第１２コンタクトピンＢ１２は給電用のピン（ＶＢＵＳピン）であって、給電線５１が接続される接続端子３０Ａ１と電気回路６５（図５）により連結されたＶＢＵＳ端子６０Ｂ１から延びている。すなわち、二本の給電線５１から延びる導電路６５が領域６５Ａで一つにまとめられて、その後、四つの端子６０Ａ１，６０Ａ１，６０Ｂ１，６０Ｂ１（基板２３の表裏の幅方向両端）に振り分けられる。
【００３３】
ピン保持部２５Ａに設けられた複数の上面側コンタクトピン７０Ａおよび複数の下面側コンタクトピン７０Ｂは、上面側コンタクトピン７０Ａの並列順と下面側コンタクトピン７０Ｂの並列順とがピン保持部２５Ａの仮想中心２５Ｃを中心として点対称となるように配置されている。これにより、コネクタプラグ２４は、上下（天地）の区別なく、接続先である電子機器のレセプタクル（図示省略）に差し込むことが可能となっている。なお、一種しかない信号線は、ピン保持部２５Ａの両面（表裏）のうちいずれか一面のコンタクトピンにつながれ、逆面の点対称の位置のコンタクトピンには何もつながれない。
【００３４】
以上、説明した本実施形態にかかるコネクタ付きケーブル１０によれば、ケーブル１１内に収容される複数の給電線５１のそれぞれが接続された各接続端子から延びる電気回路６５が基板２３上において一つに統合されてから再び分岐されてコネクタプラグ２４側の接続端子に連結されるとともに、各接続端子６０Ａ，６０Ｂからコネクタプラグ２４内に収容され接続先である電子機器のレセプタクルと接続可能な複数のコンタクトピン７０Ａ，７０Ｂが延びている。このようなコネクタ付きケーブル１０の構成によれば、複数本の給電線５１により電源供給を行うこととなるため、給電容量の増加に対応することが可能となる。また、複数本の給電線５１から供給される電流を電気回路６５の領域６５Ａにおいて一旦合流させてからコネクタプラグ２４内の複数のコンタクトピン７０Ａ，７０Ｂへ送給する構成となっているため、コンタクトピン７０Ａ，７０Ｂの配置構成の自由度が向上する。そのため、接続先である電子機器のレセプタクルに対してコネクタ２０（第一コネクタ２１および第二コネクタ２２のいずれも）が上下の向きの区別なく挿入可能となるように、コンタクトピン７０Ａ，７０Ｂを配置することができる。
【００３５】
以上、本発明をその実施形態を用いて説明したが、本発明の技術的範囲は上記実施形態に記載の範囲には限定されない。上記実施形態に多様な変更または改良を加えることができることは、当業者にとって明らかである。
【００３６】
上記実施形態のコネクタ付きケーブル１０では、ケーブル１１の両端に取り付けられている第一コネクタ２１のコネクタプラグ２４と第二コネクタ２２のコネクタプラグ２４とが同一形状である場合について説明したが本発明はこれに限られない。例えば、接続先である電子機器のレセプタクルに対して第一コネクタ２１または第二コネクタ２２が上下の向きの区別なく挿入可能となるようにコンタクトピン７０Ａ，７０Ｂを配置することができる限りにおいて、両端のコネクタプラグの形状が異なる第一コネクタ２１，第二コネクタ２２をケーブル１１の両端に取り付けてもよい。
【００３７】
また、上記実施形態においては、ケーブル１１に収容される信号線５５として、接地用のグランド信号線が含まれているが、グランド信号線を含めない構成としてもよい。また、信号線５５として、ＣＣ信号線、Ｄ＋／Ｄ−信号線、ＲＦＵ信号線以外の電線が収容されていてもよい。
【符号の説明】
【００３８】
１０：コネクタ付きケーブル
１１：ケーブル
１２：シース
１３：シールド
１４：押さえ巻
１５：同軸電線
１６：中心導体
１７：絶縁体
１８：外部導体
１９：外被
２０：コネクタ
２１：第一コネクタ
２２：第二コネクタ
２３：基板
２４：コネクタプラグ
２４Ａ：金属シェル
２５：内縁部
２５Ａ：ピン保持部
２６：第一樹脂層
２７：第二樹脂層
２８：第三樹脂層
２９：ストレインリリーフ
３０Ａ：上面側接続端子（第一の接点の一例）
３０Ｂ：下面側接続端子
５０：絶縁電線
５１：給電線
５２：中心導体
５３：外被
５５：信号線
５６：中心導体
５７：外被
６０Ａ：上面側接続端子
６０Ｂ：下面側接続端子
６５：電気回路（導体）
６５Ａ：領域
６５Ｂ：導体
７０Ａ：上面側コンタクトピン
７０Ｂ：下面側コンタクトピン
８０：ビアホール
【図１】
0006421734.tif 000002
【図２】
0006421734.tif 000003
【図３】
0006421734.tif 000004
【図４】
0006421734.tif 000005
【図５】
0006421734.tif 000006
【図６】
0006421734.tif 000007
【図７】
0006421734.tif 000008